(57)【要約】【課題】シュリンク包装後のシュリンクフィルムに微小な傷を設け、この傷に粘着テープ片を貼着してシュリンク包装体の開封を容易にする。【解決手段】シュリンク包装体の一部を筒状体で包囲し、該包囲された内部を吸引してシュリンクフィルムを被包装体と引き離し、吸引した状態でＶ字型、Ｕ字型、Ｈ字型又はコ字型の刃先を有するカッターで、吸引されているシュリンクフィルムの一部に微小な傷を設け、粘着テープ片が、ヨコ１軸延伸フィルムからなり、少なくとも一方の端縁線に沿って指で摘める幅の粘着剤非塗布部を設け、テープ幅より短い間隔で開封開始方向を示す矢印を印刷してなる巻回粘着テープを巻出し、テープの横断方向に、矢印と重ならない部位に、端部からスリットを設けて分断開始部として、巻回テープの先端を吸引して粘着テープと分断し、分断された粘着テープ片を上記微小な傷に貼着する。【選択図】　図２
2004010078.tif 000002
【特許請求の範囲】
【請求項１】
シュリンク包装体の一部を筒状体で包囲し、該包囲された内部を吸引してシュリンクフィルムを被包装体と引き離し、吸引した状態でＶ字型、Ｕ字型、Ｈ字型又はコ字型の刃先を有するカッターで、吸引されているシュリンクフィルムの一部に微小な傷を設け、
該微小な傷を、少なくとも一方の端縁部に指で摘める幅の粘着剤非塗布部を設けた粘着テープを、端部から分断してなる粘着テープ片で被覆することを特徴とするシュリンク包装開封方法。
【請求項２】
粘着テープ片の指で摘める幅の粘着剤非塗布部が、Ｖ字型、Ｕ字型、Ｈ字型又はコ字型の微小な傷の開始部及び終了部の反対方向であることを特徴とする請求項１記載のシュリンク包装開封方法。
【請求項３】
粘着テープの基材がヨコ１軸延伸フィルムであることを特徴とする請求項１又は２記載のシュリンク包装開封方法。
【請求項４】
シュリンクフィルムのＶ字型、Ｕ字型、Ｈ字型又はコ字型の微小な傷を被覆するにあたり、微小な傷の開始部及び終了部を延長する方向の矢印を各粘着テープ片に設けたことを特徴とする請求項１ないし３のいずれかに記載するシュリンク包装開封方法。
【請求項５】
粘着テープを巻出した後、テープの横断方向に、一方の端部からスリットを設けることを特徴とする請求項１ないし４のいずれかに記載するシュリンク包装開封方法。
【請求項６】
スリットを粘着剤非塗布部に設けることを特徴とする請求項５記載のシュリンク包装開封方法。
【請求項７】
シュリンク包装用フィルムに予めＶ字型、Ｕ字型、Ｈ字型又はコ字型の微小な傷を設け、
粘着テープ片が、ヨコ１軸延伸フィルムからなり、少なくとも一方の端縁線に沿って指で摘める幅の粘着剤非塗布部を設け、テープ幅より短い間隔で開封開始方向を示す矢印を印刷してなる巻回粘着テープを巻出し、
テープの横断方向に、矢印と重ならない部位に、端部からスリットを設けて分断開始部として、巻回テープの先端を吸引して粘着テープと分断し、分断された粘着テープ片を上記微小な傷に貼着するシュリンク包装開封方法。
【請求項８】
スリットを粘着剤非塗布部に設けることを特徴とする請求項７記載のシュリンク包装開封方法。
【請求項９】
シュリンク包装体の一部を筒状体で包囲し、該包囲された内部のフィルムを吸引してシュリンクフィルムを被包装体と引き離し、吸引した状態でＶ字型、Ｕ字型、Ｈ字型又はコ字型の刃先を有するカッターで、吸引されているシュリンクフィルムの一部に微小な傷を設け、
粘着テープ片が、少なくとも一方の端縁線に沿って指で摘める幅の粘着剤非塗布部を設けてなる巻回粘着テープを巻出し、
粘着テープの横断方向に一定間隔で端部から切断し、得られた粘着テープ片を吸引して、微小な傷を設けたシュリンク包装体上に移送して貼着することを特徴とするシュリンク包装開封方法。
【請求項１０】
少なくとも一方の端縁線に沿って指で摘める幅の粘着剤非塗布部を設け、テープ幅より短い間隔で指で摘める幅の粘着剤非被塗布部から粘着剤塗布部方向に向かう方向の矢印を印刷してなるシュリンク包装開封片用巻回テープ。
【発明の詳細な説明】
【０００１】
【発明が属する技術分野】
本発明は、シュリンク包装体を容易に開封する方法に関し、シュリンク包装後のシュリンクフィルムに微小な傷を設け、粘着テープの端部から順次粘着テープ片を分断し、微小な傷に直接貼着できるシュリンク包装開封方法に関する。
【０００２】
【従来の技術】
シュリンク包装は極めて簡易な包装であり、且つ一旦開封すると復元できないため、悪意で商品を汚染される心配がなく、スーパーマーケット等、消費者が自由に触れることのできる店舗に陳列する商品に好ましく使用されている。
シュリンク包装とは充分に延伸したフィルムで商品を包み、包装体ごと加熱することによりフィルムが内容物商品の外形に密着して収縮するものである。シュリンク包装は、嵩張らず簡易に包装できる長所がある反面、開封の困難性という欠点を有する。
【０００３】
シュリンク包装体の開封を容易にするために、先行技術として図１を示した。図１は、シュリンク包装体に装着したシュリンク包装開封ラベルの平面図を示した。１はＵ字型の微小な傷であり、ラベルの下に隠れて見えないが、説明の都合上実線で表現した。シュリンクフィルムにＵ字の傷を設ければ傷の開始部と終了部は裂け易い状態の切り口として残る。すなわち、開始部２から傷が始まり、弯曲部３を形成して終了部２に至り微小な傷１を形成する。
２は傷の開始部または終了部であり、裂け易い部位であるが、本明細書においては以下全て開始部と表現する。斜線を施した部位は粘着剤塗布部４であり、矢印を付した粘着剤非塗布部５を摘んで引張ると、２個の開始部２がシュリンクフィルムの破れの起点となり、仮想線で示すように、シュリンクフィルムを一定幅で破り始めることができる。
【０００４】
上記の方法は、シュリンク包装体の内容物とシュリンクフィルムとの間に多少の空隙のできる部位（カップヌードルの容器にあっては糸底で囲まれた底面）に、Ｕ字型等の微小な傷を内容物本体を傷つけないように設け、この微小な傷１に粘着剤非塗布部を設けた粘着シールを貼着し、Ｕ字の弯曲部３方向からＵ字の開始部２方向に向けた矢印をシールに印刷するものである。
シールの粘着剤非塗布部を摘んで矢印方向に引張ると、シールが剥がれる際に開始部２から仮想線で示すように破れが伝播し、容易に開封することができる。
【０００５】
【発明が解決しようとする課題】
しかしながら、シュリンク包装体にシールを貼着するためにはラベラーを使用する必要がある。ラベラーに供給されるシールは離型紙に、切断前の印刷したシール用紙の粘着面を貼着し、離型紙を切断することなくシールの周囲のみを切断したシートを巻回したものである。ラベラーはシールのみを離型紙から剥がして貼着し、離型紙とシールを抜いた後の枠が不用品として排出される。この方法は離型紙が高価なため比較的高価となり、また、離型紙やシール打ち抜き後の大量の廃棄物が発生する。
【０００６】
シュリンク包装はシュリンクフィルムが被包装体に密着しているものであるから、被包装体を傷つけることなく、シュリンクフィルムのみに微小な傷を設けることができる部位はほとんどなく、その使用範囲が限定されていた。
本発明は、シュリンク包装体のほとんど全ての部位にＵ字型、Ｖ字型、Ｈ字型又はコ字型の微小な傷を設けることができ、離型紙も使用せず、打ち抜き後の枠も発生しない粘着テープ片を順次貼着する方法を提供するものである。
【０００７】
【課題を解決するための手段】
本発明の構成は、シュリンク包装体の一部を筒状体で包囲し、該包囲された内部を吸引してシュリンクフィルムを被包装体と引き離し、吸引した状態でＶ字型、Ｕ字型、Ｈ字型又はコ字型の刃先を有するカッターで、吸引されているシュリンクフィルムの一部に微小な傷を設け、
粘着テープ片が、ヨコ１軸延伸フィルムからなり、少なくとも一方の端縁線に沿って指で摘める幅の粘着剤非塗布部を設け、テープ幅より短い間隔で開封開始方向を示す矢印を印刷してなる巻回粘着テープを巻出し、
テープの横断方向に、矢印と重ならない部位に、端部からスリットを設けて分断開始部として、巻回テープの先端を吸引して粘着テープと分断し、分断された粘着テープ片を上記微小な傷に貼着することを特徴とする。
更に、ヨコ１軸延伸フィルムを使用しない場合には、粘着テープの横断方向に一定間隔で端部から切断し、得られた粘着テープ片を吸引して、微小な傷を設けたシュリンク包装体上に移送して貼着することを特徴とする。
【０００８】
すなわち、本発明はシュリンク包装体にＵ字型、Ｖ字型、Ｈ字型又はコ字型の微小な傷を設けるにあたり、微小な傷を設けたい部位の周囲を囲んで外気と遮断し、囲まれた内部を吸引して被包装物とシュリンクフィルムとの間に充分な間隔を設け、吸引状態で微小な傷を設けるべき刃を用いてシュリンクフィルムのみに微小な傷を設けるものである。微小な傷を設けるべき部位が吸引されて被包装体と離れているため、被包装体を傷つけることはない。
本発明においてはラベルに変えて巻回粘着テープ片を切断しながら微小な傷を覆って貼着する。この粘着テープは少なくとも一方の端縁部に指で摘める幅の粘着剤非塗布部を有する。テープは順次切断し、吸引パイプで吸引してシュリンク包装体の微小な傷の上に移送し、微小な傷を覆って、図１に示すように、被覆する。
【０００９】
【発明の実施の形態】
本発明における微小な傷とは、シュリンクフィルムに設けたＵ字型、Ｖ字型、コ字型等の１直線を弯曲させた、或いは折曲げた形状の切り抜きである。これらの形状はほぼ並列した２個の開始部２（引裂端部）を有するため、開始部２を延出する方向の力が加わると引裂は容易に伝播し幅のある破れが生じる。開始部２の反対側に粘着剤非塗布部５を有する粘着テープ片で微小な傷を被覆する。粘着剤非塗布部５を摘んで引張ると、開始部２を延出する方向の力が加わり破れを開始することができる。微小な傷がＨ字型である場合には２対の開始部を有するためＨ字の縦方向の両方向から破れを開始することができる。
【００１０】
以下、図面を参照して本発明を具体的に説明する。図２は本発明の一実施例の全体図であり、図３はシュリンク包装品に微小な傷を設ける機構の説明図、図４は巻回粘着テープを巻出し、スリットを設ける部位周辺の平面図である。
【００１１】
６は粘着テープであり、紙管に巻回されており、廃棄物を発生せず全部が有効に使用される。この巻回粘着テープは、図４に示すように、ヨコ１軸延伸されており、少なくとも一方の端縁部には指でつまめる幅の粘着剤非塗布部５を有する。この粘着テープは端部から切断して粘着テープ片として順次、シュリンク包装体の微小な傷１を被覆していく。微小な傷１を被覆する位置は、図１のラベルを粘着テープ片に代えて考えればよく、微小な傷１を粘着テープ片の粘着剤塗布部４のほぼ中央部にくるようにする。斜線で示した部位は粘着剤塗布部４である。更に、粘着テープ６には粘着剤非塗布部５方向から粘着テープ横断方向に向かう矢印１０が一定間隔で設けられている。
【００１２】
粘着テープ６は送りロールにより巻出される。７は粘着テープ６の一方の端縁部に一定間隔でスリット９を設けるスリッターであり、８はスリッター７の受け台である。スリット９は一方の端縁部に、矢印１０と等間隔に、且つ、矢印１０と重ならないように設ける。スリット９は端縁部の一部に設けられているため粘着テープとして連結したまま送りロールで運ばれる。しかしながら、基材フィルムがヨコ１軸延伸されているため、わずかな力を加えると、図４に破線で示すように、スリット９の先端からスリットの切れ目が伝播し、粘着テープ片に分断されるものである。
【００１３】
１１はテープ送りベルトコンベアーであり、スリット９を設けられた粘着テープ６を移送する。１２は吸引パイプであり、先端がスリットを設けた粘着テープに接近すると、吸引パイプ１２に吸引され、スリット９の切れ目が伝播して容易に粘着テープ片１４となり。吸引パイプ１２は回動軸１３により回動し、シュリンク包装体の微小な傷を設けた部位に至る。この部位で吸引パイプ１２は吸引を中止し常圧ないしわずかな加圧状態になるため、粘着テープ片１４は吸引パイプ１２を離れ、シュリンク包装体、図２においてはカップヌードル１５、の上面に付着する。カップヌードル１５は一定間隔でベルトコンベア１６上を移動する。
【００１４】
粘着テープ片１４を離した吸引パイプ１２は再びテープ送りベルトコンベア１１端部に回動し、粘着テープの先端を吸引して粘着テープ片１４を引裂き、吸引して次のカップヌードル方向に回動する。
以上、粘着テープ６の端縁部にスリット９を設ける実施態様を説明したが、スリットを設けず、テープ移送ベルトコンベア１１上、或いは他の移送手段上でテープ片に切断して移送することもできる。この場合には粘着テープはヨコ１軸延伸フィルムである必要はない。
【００１５】
吸引パイプ１２から離れた粘着テープ片１４は、カップヌードル上面に軽く付着しているのみであるため、次工程において、周囲がプラスチック発泡体からなる押圧ローラ１７で押圧し、粘着テープ片１４の粘着剤塗布部４をしっかりと粘着する。
【００１６】
スリッターは粘着テープ６の端縁部にスリット９を設ければよく、スリット９の深さは特に限定しない。間隔は粘着テープ幅より短く、好ましくは粘着テープ幅の１／２程度である。スリット９は粘着剤被塗布部５に設けることが好ましい。すなわち、粘着剤塗布部４に設けるとスリッターの刃に粘着剤が付着し、間欠的に刃先を洗浄し粘着剤を除去する作業が必要になる。基材がヨコ１軸延伸フィルムからなる巻回テープを使用して粘着剤非塗布部のみを切断すると、刃先に付着した粘着剤を間欠的に清掃する必要がないため、高速長時間運転の効率が工場する。
【００１７】
シュリンク包装体に微小な傷を設ける機構を図２及び図３に示した。１８は筒状体であり、シュリンク包装体の一部を押圧して包囲する。吸引を効率的に行うために筒状体１８の先端にはパッキン１９を設ける。２０は上下動する切断具であり、中間部で約４５°曲がって筒状体１８のほぼ中央部に刃先２１を設ける。刃先の形状はＵ字型が一般的であるが、Ｖ字型、コ字型、場合によってはＨ字型であってもよい。２２は吸引の開始、終了、わずかな加圧、切断具の上下動等を司る操作部である。
【００１８】
筒状体１８で、シュリンク包装したカップヌードル１５の上面を押圧し、次いで筒状体１８内を吸引すると、シュリンクフィルムは図３に示すように、円弧状に膨れ上がる。２３は円弧状に膨れ上がったシュリンクフィルムである。ここで、切断具２０を下降させると、シュリンクフィルムは緊張状態にあるため容易に微小な傷１を設けることができる。切断具２０の最も下降した位置をカップヌードル１５本体に接触しない位置に定めておけば、シュリンクフィルムのみに微小な傷を設けることができる。
【００１９】
【発明の効果】
本発明により、シュリンク包装体のほとんど全ての部位にＵ字型、Ｖ字型、Ｈ字型又はコ字型の微小な傷を設けることができ、離型紙も使用せず、打ち抜き後の枠も発生しない粘着テープ片を順次貼着し、あらゆる種類のシュリンク包装体を容易に開封することができる。
【図面の簡単な説明】
【図１】図１はシュリンク包装体に装着したシュリンク包装開封ラベルの平面図である。
【図２】図２は本発明の１実施例の全体説明図である。
【図３】図３はシュリンク包装品に微小な傷を設ける機構の説明図である。
【図４】図４は巻回粘着テープを巻出してスリットを設ける部位周辺の平面図である。
【符号の説明】
１　微小な傷
２　開始部
３　弯曲部
４　粘着剤塗布部
５　粘着剤非塗布部
６　粘着テープ
７　スリッター
８　受け台
９　スリット
１０　矢印
１１　テープ送りベルトコンベア
１２　吸引パイプ
１３　回動軸
１４　粘着テープ片
１５　カップヌードル
１６　ベルトコンベア
１７　押圧ローラ
１８　筒状体
２０　切断具
２１　刃先
２２　操作部
２３　円弧状に膨れあがったシュリンクフィルム
【図１】
2004010078.tif 000003
【図２】
2004010078.tif 000004
【図３】
2004010078.tif 000005
【図４】
2004010078.tif 000006